(57)【要約】【課題】特殊な設備を必要とせず、安価に実施でき、広く一般に採用されやすく、品質的に特に精度のよいものが要求されない場合にも対応できる泥土固化処理方法を得る。【解決手段】泥土に圧縮空気を混入して泥土を攪拌して粒子を分散させ、攪拌された泥土に吸水剤もしくは凝集剤を混入して水を吸収もしくは凝集して土と水とを分離しやすくした混合体とし、この混合体をさらに圧縮空気で圧送してこれに固化剤供給装置６から圧縮空気で圧送される粉体系の固化剤７を混入して改良土８を作成する。【選択図】        図１
2005264657.tif 000002
【特許請求の範囲】
【請求項１】
泥土に圧縮空気を混入して泥土を攪拌し、攪拌された泥土に吸水剤もしくは凝集剤を混入して混合体とし、この混合体をさらに圧縮空気で圧送してこれに固化剤供給装置から圧縮空気で圧送される粉体系固化剤を混入して改良土を作成することを特徴とする泥土固化処理方法。
【請求項２】
前記吸水剤もしくは凝集剤が混入された泥土を、外側が硬質で内側が軟質な可撓性ホースで圧送し、この圧送中に圧縮空気の圧力によりホースの内壁に形成される凹凸によって泥土と圧縮空気と吸水剤もしくは凝集剤とをより混合しやすくしたことを特徴とする請求項１記載の泥土固化処理方法。
【発明の詳細な説明】
【技術分野】
【０００１】
本発明は、浚渫土、場所打ち杭や地中連続壁あるいは地盤改良などから発生する建設汚泥などの泥土などを固化処理する方法に関するものである。
【背景技術】
【０００２】
かかる泥土はこれを固化処理して改良土としているが、例えばシールドや推進の非泥水などセメントの混入していない建設汚泥である非自硬性汚泥の改良土は、脱水処理などを施し、植生基盤材として利用されたり、また、場所打ち杭や地中連続壁あるいは地盤改良などのセメントの混入した建設汚泥である自硬性汚泥の改良土は、固化したものを破砕して盛土材として利用されることが多い。
【０００３】
泥土の固化処理方法としては、従来、種々のものがあるが、その一例として図６に示すミキシング処理システムがある。これは、ミキサ２１に固化剤供給装置２２や調整泥土供給装置２３を接続し、粉体あるいは液体状の添加材（固化材、ベントナイトなど）を添加し、ミキサー（翼）を用いて泥土と添加材を攪拌、混練するものである。
【０００４】
前記従来技術は当業者間で一般的に行われているものであり、文献公知発明にかかるものではない。
【発明の開示】
【発明が解決しようとする課題】
【０００５】
前記従来技術は、連続混練方式のため、大規模施工ができ、ミキサで添加材を攪拌するため、優れた混練性を発揮し高品質の改良土を得ることができるが、一方で、特殊な構造のミキサを必要とし、機械損料が高価である。また、品質的に精度のよいものが要求されない場合の対応が困難である。このため、小規模の工事などでは採用されにくかった。
【０００６】
本発明の目的は前記従来例の不都合を解消し、特殊な設備を必要とせず、安価に実施でき、広く一般に採用されやすく、品質的に特に精度のよいものが要求されない場合にも対応できる泥土固化処理方法を提供することにある。
【課題を解決するための手段】
【０００７】
本発明は前記目的を達成するため、請求項１記載の発明は、泥土に圧縮空気を混入して泥土を攪拌し、攪拌された泥土に吸水剤もしくは凝集剤を混入して混合体とし、この混合体をさらに圧縮空気で圧送してこれに固化剤供給装置から圧縮空気で圧送される粉体系固化剤を混入して改良土を作成することを要旨とするものである。
【０００８】
請求項１記載の本発明によれば、泥土を圧送する装置や吸水剤もしくは凝集剤を供給する装置および固化剤供給装置は、それぞれ例えば従来から存在する装置を利用し、固化処理装置として格別のものを用意することなく、ラインによって改良土を作成することにより、簡単な設備で安価に泥土の固化処理を行える。
【０００９】
そして、泥土を圧縮空気で圧送する際に、圧送するだけでなく攪拌することにより、泥土の粒子が分散して吸水剤もしくは凝集剤が吸着しやすくなる。
【００１０】
請求項２記載の発明は、前記吸水剤もしくは凝集剤が混入された泥土を、外側が硬質で内側が軟質な可撓性ホースで圧送し、この圧送中に圧縮空気の圧力によりホースの内壁に形成される凹凸によって泥土と圧縮空気と吸水剤もしくは凝集剤とをより混合しやすくしたことを要旨とするものである。
【００１１】
請求項２記載の本発明によれば、吸水剤もしくは凝集剤が混入された泥土を可撓性ホースで圧送することにより、泥土と圧縮空気と吸水剤とが良好に混合されるから、次の工程でコンパクトで簡単な装置で固化剤を添加して良好に混合でき、ダンプなどの車両で改良直後にも搬送できる程度には固化された改良土を容易に得ることができる。
【発明の効果】
【００１２】
本発明の泥土固化処理方法は、特殊な設備を必要とせず、現在存在する簡単な装置をライン上に組合わせて配置することで、安価に実施でき、広く一般に採用されやすく、品質的に特に精度のよいものが要求されない場合に対応できるものである。
【発明を実施するための最良の形態】
【００１３】
以下、図面について本発明の実施形態を詳細に説明する。図１は本発明の泥土固化処理方法の実施形態を示す概略図で、本発明の泥土固化処理方法が実施される設備は、基本構成として泥土や泥水の圧送管１、この圧送管１内に吸水剤もしくは凝集剤を供給する吸水剤供給装置４、吸水剤もしくは凝集剤が供給された泥土や泥水をさらに圧送するホース５、このホース５から吐出される泥土と吸水剤もしくは凝集剤の混合体に固化剤を供給する固化剤供給装置６とで構成し、これらの装置や管、ホースがライン上に配設される。
【００１４】
泥土や泥水の圧送管１は、例えば図２に示すように本体１ａに対して、上部と下部から斜めに圧縮空気の吐出管２，３が開口する。
【００１５】
吸水剤供給装置４は、液体の吸水剤もしくは凝集剤を霧状に噴霧する装置として、例えば図３に示すような液体急結剤添加装置を利用することができ、吸水剤もしくは凝集剤と圧縮空気とが合流するＹ字管４ａを前記圧送管１の吐出側に開口する。
【００１６】
ホース５は、材料の滑りがよく軽量な吹付け用の可撓性のものを使用し、例えば図４に示すように、外側５ａが強化プラスチックなどによる硬質のもので形成し、内側５ｂを軟質の合成樹脂ゴムで形成した。
【００１７】
固化剤供給装置６は、例えばＮＡＴＭ工法におけるコンクリート吹付けにおいて粉体急結剤を定量的に空気圧送し、吹付けコンクリートに添加する装置を使用するもので、固化剤７が投入されているタンク６ａの底部に圧縮空気の圧送管６ｂを開口し、タンク６ａの底部に設けた回転翼６ｄと圧送管６ａから供給された圧縮空気とで定量の固化剤７を吐出管６ｃで吐出して、ホース５から吐出される泥土と吸水剤もしくは凝集剤の混合体に供給する。
【００１８】
次にかかる設備を使用して泥土を固化処理する方法を説明する。泥土や泥水を圧送管１に送り、この圧送管１に吐出管２，３から圧縮空気を送り込む。この場合、吐出管２，３は圧送管１の軸心に対して斜め方向から開口しているので、泥土に斜め方向から圧縮空気が送り込まれ、その結果、泥土は圧縮空気によって攪拌され、粒子が分散される。
【００１９】
圧縮空気によって攪拌された空気を含んだ泥土は、この圧縮空気によってさらに圧送され、圧送管１の吐出口に至り、ここで、吸水剤供給装置４から噴出される吸水剤もしくは凝集剤が混合される。吸水剤としては、例えばポリマー系の高分子材料を使用し、これは泥土中に含まれている水分を吸収して土と水とを分離しやすくする。また、凝集剤は、硫酸アルミニウムやポリ塩化アルミニウムなどを使用し、水中のコロイド粒子表面の電位の絶対値を低め、コロイド粒子同士の反発力を小さくする。
【００２０】
次に、吸水剤もしくは凝集剤が混入された空気を含んだ泥土は、吐出用のホース５に圧送される。ここでは、ホース５の内側５ｂの軟質の合成樹脂ゴムに圧縮空気の圧力によって泥土が押し付けられ、内側５ｂの合成樹脂ゴムが波打って凹凸が形成され、この凹凸によって空気を含んだ泥土と吸水剤とが混合しやすくなる。
【００２１】
このようにして吸水剤もしくは凝集剤が混合された泥土は圧縮空気によってホース５の先端から空気中に噴出される。そして、この圧縮空気によって吐出された吸水剤が混合された泥土に、固化剤供給装置６から同じく圧縮空気によって吐出された粉体セメントなどを使用する固化剤７をライン上の気中でフリー混入して、泥土を固化させる。これにより改良土８とする。
【００２２】
この固化の程度は泥土を例えばダンプトラックなどの車両で運搬できる程度のものであればよく、高品質な精度のよい物である必要はない。
【００２３】
前記実施形態では、ラインに各種装置を配備して気中で固化剤７を混入して泥土を固化処理して改良土８を得たが、粉体である固化剤７の飛散を防止するには管路内で混合するボックス式とすることもできる。
【００２４】
また、吸水剤もしくは凝集剤が混入された泥土を噴出するホース５は、圧送管１の吐出部に泥土に固化剤７を混入するためのスペースがない場合に、泥土を処理ヤードまで飛ばす役目を果たすが、圧送管１の吐出部に泥土を固化処理するスペースがあれば、圧送管１から直接吐出される泥土にその場で固化剤７を混入することもできる。
【図面の簡単な説明】
【００２５】
【図１】本発明の泥土固化処理方法の実施形態を示す概略図である。
【図２】本発明の泥土固化処理方法で使用する圧送管の一例を示す側面図である。
【図３】本発明の泥土固化処理方法で使用する吸水剤供給装置の一例を示す側面図である。
【図４】本発明の泥土固化処理方法で使用するホースの一例を示す一部切欠いた側面図である。
【図５】本発明の泥土固化処理方法で使用する固化剤供給装置の一例を示す正面図である。
【図６】従来の泥土固化処理方法を示す概略図である。
【符号の説明】
【００２６】
１  圧送管                      １ａ  本体
２，３  吐出管                  ４  吸水剤供給装置
４ａ  Ｙ字管                    ５  ホース
５ａ  外側                      ５ｂ  内側
６  固化剤供給装置              ６ａ  タンク
６ｂ  圧送管                    ６ｃ  吐出管
６ｄ  回転翼                    ７  固化剤
８  改良土                      ２１  ミキサ
２２  固化剤供給装置            ２３  調整泥土供給装置
【図１】
2005264657.tif 000003
【図２】
2005264657.tif 000004
【図３】
2005264657.tif 000005
【図４】
2005264657.tif 000006
【図５】
2005264657.tif 000007
【図６】
2005264657.tif 000008